(57)【要約】【課題】持ち上げる際、天板の浮き上がりを抑える冷凍装置の室外機を提供する。【解決手段】室外機３は、ハウジング１０と、把手部１００と、を備える。ハウジング１０は、天板１６と、底板１１と、左後支柱１２ｂと、を有する。左後支柱１２ｂは、底板１１の上面に立設され、天板１６を支持する。把手部１００は、天板１６に装着される。把手部１００は、第１係合部１０３を有する。第１係合部１０３は、左後支柱１２ｂに係合する。【選択図】図７
2014043978.tif 000002
【特許請求の範囲】
【請求項１】
天板（１６）と、底板（１１）と、支柱（１２ｂ）と、を有するハウジング（１０）と、
前記天板に装着される把手（１００）と、
を備え、
前記支柱は、前記底板の上面に立設され、前記天板を支持し、
前記把手は、前記支柱に係合する第１係合部（１０３）を有する、
冷凍装置の室外機（３）。
【請求項２】
前記第１係合部は、前記支柱の長手方向に沿って延びる係合面（１０３ａ）を有し、前記係合面が前記支柱に当接する、
請求項１に記載の冷凍装置の室外機。
【請求項３】
前記天板は、下方に延びる外縁部（１６１）を有し、
前記把手は、水平方向に沿って延びる水平部（１０１）と、前記水平部から上方に延びる上延部（１０２）と、をさらに有し、
前記上延部は、前記外縁部の外面に当接し、
前記第１係合部は、平面視において、前記水平部の前記支柱側の端部に配設される、
請求項１又は２に記載の冷凍装置の室外機。
【請求項４】
前記把手は、第２係合部（１０４ａ）をさらに有し、前記第２係合部と前記上延部とで前記外縁部を挟むようにして、前記天板と係合する、
請求項３に記載の冷凍装置の室外機。
【請求項５】
前記外縁部および前記上延部には、貫通孔（ＴＨ４）がそれぞれ形成され、
前記把手は、前記貫通孔を介して前記天板に螺着される、
請求項３又は４に記載の冷凍装置の室外機。
【請求項６】
前記底板の上面には、平面視においてＬ字状の湾曲部（３０ｂ）を有する熱交換器（３０）が配置され、
前記支柱は、前記湾曲部の近傍に位置する、
請求項１から５のいずれかに記載の冷凍装置の室外機。
【発明の詳細な説明】
【技術分野】
【０００１】
本発明は、冷凍装置の室外機に関する。
【背景技術】
【０００２】
持ち運びなどする際に把持しやすいように、ハウジングに把手を装着した冷凍装置の室外機が知られている。例えば、特許文献１（特開２００９―１５６５５６号公報）には、把手を左側板と天板とで挟持するようにハウジングに装着する構成が開示されている。
【発明の概要】
【発明が解決しようとする課題】
【０００３】
しかし、側板の代わりにハウジングに支柱を有する冷凍装置の室外機において、従来の把手を装着して持ち上げると、把手を挟持する側板がないために、天板が浮き上がってしまう場合がある。
【０００４】
そこで本発明の課題は、天板の浮き上がりを抑える冷凍装置の室外機を提供することである。
【課題を解決するための手段】
【０００５】
本発明の第１観点に係る冷凍装置の室外機は、ハウジングと、把手と、を備える。ハウジングは、天板と、底板と、支柱と、を有する。支柱は、底板の上面に立設され、天板を支持する。把手は、天板に装着される。把手は、第１係合部を有する。第１係合部は、支柱に係合する。
【０００６】
本発明の第１観点に係る冷凍装置の室外機では、把手は、支柱に係合する第１係合部を有する。これにより、把手を用いて室外機を持ち上げる際、第１係合部が支柱に引っ掛かって天板を押し上げる力が支柱に分散されて軽減されるため、天板の反り上がりを抑えられる。したがって、天板が浮き上がりにくくなる。
【０００７】
本発明の第２観点に係る冷凍装置の室外機は、第１観点に係る冷凍装置の室外機であって、第１係合部は、係合面を有する。係合面は、支柱の長手方向に沿って延び、支柱に当接する。
【０００８】
本発明の第２観点に係る冷凍装置の室外機では、支柱の長手方向に沿って延びる係合面が、支柱に当接する。これにより、第１係合部が支柱へより安定して引っ掛かるため、さらに天板の反り上がりを抑えやすい。
【０００９】
本発明の第３観点に係る冷凍装置の室外機は、第１観点又は第２観点に係る冷凍装置の室外機であって、天板は、下方に延びる外縁部を有する。把手は、水平部と、上延部と、をさらに有する。水平部は、水平方向に沿って延びる。上延部は、水平部から上方に延び、外縁部の外面と当接する。第１係合部は、平面視において、水平部の支柱側の端部に配設される。
【００１０】
本発明の第３観点に係る冷凍装置の室外機では、上延部は外縁部の外面に当接し、第１係合部は、平面視において水平部の支柱側の端部に配設される。これにより、第１係合部が支柱へより安定して引っ掛かるため、さらに天板の反り上がりを抑えやすい。
【００１１】
本発明の第４観点に係る冷凍装置の室外機は、第３観点に係る冷凍装置の室外機であって、把手は、第２係合部をさらに有する。把手は、第２係合部と上延部とで外縁部を挟むようにして、天板と係合する。
【００１２】
本発明の第４観点に係る冷凍装置の室外機では、把手は、第２係合部と上延部とで外縁部を挟むようにして、天板と係合する。これにより、第１係合部が支柱へより安定して引っ掛かるため、さらに天板の反り上がりを抑えやすい。
【００１３】
本発明の第５観点に係る冷凍装置の室外機は、第３観点又は第４観点に係る冷凍装置の室外機であって、外縁部および上延部には、貫通孔がそれぞれ形成される。把手は、貫通孔を介して天板に螺着される。
【００１４】
本発明の第５観点に係る冷凍装置の室外機では、把手は天板に螺着される。これにより、第１係合部が支柱へより安定して引っ掛かるため、さらに天板の反り上がりを抑えやすい。
【００１５】
本発明の第６観点に係る冷凍装置の室外機は、第１観点から第５観点のいずれかに係る冷凍装置の室外機であって、底板の上面には、熱交換器が配設される。熱交換器は、平面視においてＬ字状の湾曲部を有する。支柱は、湾曲部の近傍に位置する。
【００１６】
本発明の第６観点に係る冷凍装置の室外機では、支柱は、熱交換器の湾曲部の近傍に位置する。これにより、ハウジングの熱交換器と近接する部分に大きな開口を形成でき、熱交換器の熱交換効率が向上する。
【発明の効果】
【００１７】
本発明の第１観点に係る冷凍装置の室外機では、把手を用いて室外機を持ち上げる際に、第１係合部が支柱に引っ掛かり、天板の反り上がりを抑えるため、天板が浮き上がりにくくなる。
【００１８】
本発明の第２観点から第５観点に係る冷凍装置の室外機では、第１係合部が支柱により安定して引っ掛かるため、さらに天板の反り上がりを抑えやすい。
【００１９】
本発明の第６観点に係る冷凍装置の室外機では、熱交換器の熱交換効率が向上する。
【図面の簡単な説明】
【００２０】
【図１】本発明の一実施形態に係る室外機を使用した空気調和装置の外観図。
【図２】本発明の一実施形態に係る室外機の左側柱、右側面板、背面グリル、前板および天板を取り外した状態の正面斜視図。
【図３】前板を取り外した状態の本発明の一実施形態に係る室外機を図２とは別の角度から見た正面斜視図（機械室内は図示を省略）。
【図４】本発明の一実施形態に係る室外機の概略平面図（機械室内は図示を省略）。
【図５】左側面から見た図３のＡ部分の拡大図。
【図６】図５のVI-VI線断面図。
【図７】図５のVII-VII線断面図。
【図８Ａ】把手部の左側面図。
【図８Ｂ】把手部の右側面図。
【図８Ｃ】把手部の上面図。
【図８Ｄ】把手部の底面図。
【図８Ｅ】把手部の背面図。
【図８Ｆ】把手部の正面図。
【発明を実施するための形態】
【００２１】
以下、図面を参照しながら、本発明の実施形態について説明する。なお、以下の実施形態は、本発明の具体例であって、本発明の技術的範囲を限定するものではない。また本明細書において、上、下、左、右、正面（前）、背面（後）といった方向を示す語句を用いているが、これらの方向は、特にことわりのない限り、図２に示す方向を意味する。
【００２２】
（１）空気調和装置１
図１は、空気調和装置１の外観図である。空気調和装置１は、室内機２と、室外機３と、冷媒配管４とから構成されており、冷房運転や暖房運転等を行うことができる。
【００２３】
（１−１）室内機２
室内機２は、室内に設置され、主に室内熱交換器（図示せず）および室内ファン（図示せず）等を収納している。
【００２４】
室内熱交換器は、クロスフィン型熱交換器である。室内熱交換器は、室内の空気と熱交換し、冷房運転時には冷媒の蒸発器として機能し、暖房運転時には冷媒の放熱器として機能する。これにより内部を流れる冷媒を蒸発又は凝縮させて、室内の空気を冷却又は加熱する。室内熱交換器は、後述する室外熱交換器３０と、冷媒配管４を介して接続されている。
【００２５】
室内ファンはクロスフローファンである。室内ファンは、室内熱交換器の下流側に設けられており、モータ（図示せず）で駆動する。この室内ファンが駆動されると、図１に示されている室内機２上部の吸込口２ａから吸い込まれた室内空気が、室内熱交換器を通過して室内機２下部の吹出口２ｂから吹き出される。
【００２６】
（１−２）室外機３
以下、図１から図５および図７を参照して、室外機３の構成について説明する。図２は、室外機３の左側柱１２、右側板１３、背面グリル１４、前板１５および天板１６を取り外した状態の正面斜視図である。図３は、前板１５を取り外した状態の室外機３を図２とは別の角度から見た正面斜視図である。図４は、室外機３の概略平面図である。図５は、左側面から見た図３のＡ部分の拡大図である。図７は、図５のVII-VII線の断面図である。なお、図３および図４では、機械室内の構成を省略している。
【００２７】
室外機３は、室外に設置されている。室外機３の外郭は、ハウジング１０によって構成され、ハウジング１０を４つの据付脚２０が支持している（図１から図４を参照）。ハウジング１０の内部においては、送風機室ＳＰ１と機械室ＳＰ２とが左右に形成されている（図２から図４を参照）。送風機室ＳＰ１は、ハウジング１０の左側に位置し、主に室外熱交換器３０および室外ファン４０等を収容している。機械室ＳＰ２は、ハウジング１０の右側に位置し、圧縮機５０および電装品ユニット６０等を収容している。送風機室ＳＰ１と機械室ＳＰ２とは、仕切板７０によって仕切られている。
【００２８】
（１−２−１）ハウジング１０
ハウジング１０は、板金と樹脂によって形成され、略直方体状の形状を有している（図１を参照）。具体的には、底板１１、左側柱１２、右側板１３、背面グリル１４、前板１５、および天板１６から構成される（図１、図３および図４を参照）。なお、底板１１以外は、適宜取り外しが可能である。
【００２９】
（１−２−１−１）底板１１
底板１１は、ハウジング１０の底面部分を構成する左右に長い略長方形状の金属製の板状部材であり、その周縁部１１ａは、上方向に立ち上がっている（図２および図３を参照）。周縁部１１ａには、左側柱１２、右側板１３、背面グリル１４および前板１５を固定するための複数のネジ孔ＴＨ１が形成されている。底板１１の上面には、室外熱交換器３０、ファン保持具４２、圧縮機５０および仕切板７０等が配置されている（図２を参照）。
【００３０】
（１−２−１−２）左側柱１２
左側柱１２は、平面視Ｌ字状に湾曲している縦長の金属製の部材であり（図３から図５を参照）、その外面には背面グリル１４および前板１５を螺着するためのネジ孔ＴＨ２が形成されている（図３を参照）。また、左側柱１２の上端には、天板１６を支持するフランジ１２１が配設されている（図４および図７を参照）。左側柱１２は、左前支柱１２ａおよび左後支柱１２ｂからなる（図３および図５を参照）。
【００３１】
左前支柱１２ａは、底板１１の左前隅において立設され、周縁部１１ａの外面に当接するようにネジ孔ＴＨ１を介して螺着されている。左前支柱１２ａは、主として前面部１２ａ１と側面部１２ａ２の２面から構成されている（図３から図５を参照）。
【００３２】
左後支柱１２ｂは、底板１１の左後隅において立設され、周縁部１１ａの外面に当接するようにネジ孔ＴＨ１を介して螺着されている。左後支柱１２ｂは、主として背面部１２ｂ１と側面部１２ｂ２の２面から構成されている（図３から図５を参照）。側面部１２ｂ２の前端は右方向に直角に折り返されており、折返部１２ｂ３が設けられている（図７を参照）。
【００３３】
（１−２−１−３）右側板１３
右側板１３は、ハウジング１０の右側面を構成する金属製の部材である（図１を参照）。右側板１３は、周縁部１１ａの外面に当接するようにＴＨ１を介して底板１１に螺着されている。右側板１３のそれぞれ正面・背面側の縁には、前板１５および背面グリル１４を取り付けるためのネジ孔ＴＨ２が上下に形成されている（図３を参照）。また、右側板１３の外面上部には、室外機３を持ち上げる際に手を差し込む差込部１３１が形成されている（図１を参照）。
【００３４】
（１−２−１−４）背面グリル１４、前板１５
背面グリル１４および前板１５は、ハウジング１０の正面および背面部分を構成する金属製の部材であり、それぞれ対向するように配設されている（図４を参照）。背面グリル１４および前板１５は、底板１１の周縁部１１ａの外面に当接するように、ＴＨ１を介して底板１１に螺着されており、また、左側柱１２および右側板１３の外面に当接するように、ネジ孔ＴＨ２を介して左側柱１２および右側板１３に螺着されている。背面グリル１４には、Ｒ方向（図４を参照）から室外の空気を取り込むための吸入口（図示せず）が大きく形成されており、前板１５には、ハウジング１０内の空気を外部に吹き出すための吹出口１５１が形成されている（図１を参照）。
【００３５】
（１−２−１−５）天板１６
天板１６は、底板１１に対向するように配設され、ハウジング１０の天面部分を構成する横長の略長方形状の板状部材である（図１、図３および図４を参照）。天板１６の外縁部１６１は、下向きに延びている（図１および図３を参照）。ここで、外縁部１６１は、前外縁部１６１ａ、左外縁部１６１ｂ、後外縁部１６１ｃおよび右外縁部１６１ｄから構成される。天板１６は、前外縁部１６１ａの内面が前板１５に、左外縁部１６１ｂの内面が左側柱１２に、後外縁部１６１ｃの内面が背面グリル１４に、右外縁部１６１ｄの内面が右側板１３に、それぞれ当接するように、ネジ孔ＴＨ３を介して螺着されている。左外縁部１６１ｂには、把手部１００が装着されている。把手部１００については後の（１−２−８）において詳述する。
【００３６】
（１−２−２）据付脚２０
据付脚２０は、底板１１の四隅近傍の所定の位置において取り付けられている（図４を参照）。据付脚２０は、前後に長い板状の部材であり、その上面の一部が隆起しており底板１１の下面に当接している。また据付脚２０は、その下面が室外機３を設置する設置台（図示せず）に接しており、ハウジング１０と設置台との間にスペースを確保する役割を果たしている。
【００３７】
（１−２−３）室外熱交換器３０
室外熱交換器３０は、クロスフィン型熱交換器であって、室外ファン４０によってハウジング１０内に取り込まれる室外の空気との間で熱交換を行い、冷房運転時には冷媒の放熱器として機能し、暖房運転時には冷媒の蒸発器として機能して、内部を流れる冷媒を凝縮又は蒸発させることができる。
【００３８】
室外熱交換器３０は、上面視においてＬ字状の形状を有しており、短手部３０ａと湾曲部３０ｂと長手部３０ｃとからなる（図４を参照）。室外熱交換器３０は、ハウジング１０の左側面から背面に沿って、底板１１の上面に載置されている。
【００３９】
（１−２−４）室外ファン４０
室外ファン４０は、送風機室ＳＰ１内の室外熱交換器３０の正面側に配置されている（図４を参照）。室外ファン４０は、プロペラファンであり、ファンモータ４１によって駆動される。室外ファン４０が駆動されると、室外の空気が、ハウジング１０の背面（Ｒ方向）および左側面（Ｌ方向）からハウジング１０内部へと取り込まれ、室外熱交換器３０を通って正面の吹出口１５１（図１）からＦ方向へ吹き出される（図４を参照）。
【００４０】
（１−２−５）圧縮機５０
圧縮機５０は、電動機を内蔵する密閉型圧縮機である。圧縮機５０は、機械室ＳＰ２内に配置され（図２を参照）、冷媒配管４内を流れる冷媒を圧縮している。
【００４１】
（１−２−６）電装品ユニット６０
電装品ユニット６０は、複数の電子部品から構成され、ファンモータ４１や圧縮機５０等の運転を制御している。電装品ユニット６０は、機械室ＳＰ２内において圧縮機５０の上方に配置されている（図２を参照）。
【００４２】
（１−２−７）仕切板７０
仕切板７０は、金属製の板状部材であり、圧縮機５０近傍の位置において、底板１１に対して略垂直に立設されている（図２から図４を参照）。仕切板７０は、ハウジング１０内において送風機室ＳＰ１と機械室ＳＰ２とを左右に形成する隔壁として機能している。また、仕切板７０は、圧縮機５０などの振動によって発生する騒音が送風機室ＳＰ１を抜けて外部に漏れないように、騒音に対する防壁としても機能している。
【００４３】
（１−２−８）把手部１００
以下、図３から図８Ａ〜Ｆを参照して把手部１００について説明する。なお、以下の説明において上、下、左、右、前（正面）後（背面）、内、外の語句は、把手部１００を天板１６に装着した状態における方向を示している。図６は、図５のVI-VI線の断面図である。図８Ａ〜Ｆは、把手部１００の６面図であり、図８Ａが左側面図、図８Ｂが右側面図、図８Ｃが上面図、図８Ｄが下面図、図８Ｅが背面図、図８Ｆが正面図である。
【００４４】
把手部１００は、室外機３を持ち上げる際に、いずれか一方の手により握られる樹脂製の部材であり、天板１６に装着されている（図３から図５を参照）。把手部１００は、主として水平部１０１と、上延部１０２と、第１係合部１０３と、第２係合部１０４と、保護部１０５とから構成されている。
【００４５】
（１−２−８−１）水平部１０１
水平部１０１は、把手部１００を使用して室外機３を持ち上げる際に、実際に握られる部分であり、左右よりも前後に長く水平に延び、かつ後方部分が右方向へと広がっている（図７、図８ＣおよびＤを参照）。水平部１０１の底面には、水平部１０１を握る際に指を掛ける指掛部１０１ａが、後方から前方に延びるように横長に設けられている（図７および図８Ｄを参照）。水平部１０１の後端には第１係合部１０３が、上面には上延部１０２および第２係合部１０４が、下面には保護部１０５が、それぞれ配設されている。
【００４６】
（１−２−８−２）上延部１０２
上延部１０２は、水平部１０１から上方に垂直に延びており（図６、図８ＥおよびＦを参照）、側面視において横長の長方形状の形状を有している（図８ＡおよびＢを参照）。上延部１０２の内面は、左外縁部１６１ｂの外面に当接している（図６を参照）。上延部１０２の外面には、正・背面視三角形状の支持部１０２ａが間隔をおいて４つ配設されており、それぞれが水平部１０１まで延びて上延部１０２を支持している（図６、図８Ａ、Ｃ、ＥおよびＦを参照）。
【００４７】
上延部１０２にはネジ孔ＴＨ４が形成されており（図５、図８ＡおよびＢを参照）、把手部１００は、ネジ孔ＴＨ４を介して左外縁部１６１ｂに螺着されている。また、上延部１０２の内面には、緩衝部１０４ｂが設けられている（図８Ｂ、Ｃ、ＥおよびＦを参照）。緩衝部１０４ｂについては、後の（１−２−８−４）において詳述する。
【００４８】
（１−２−８−３）第１係合部１０３
第１係合部１０３は、水平部１０１の底面の後端から後方および下方に向かって延びる縦長のリブである（図６、図８ＢおよびＥを参照）。第１係合部１０３は、その下端部近傍に設けられた支持部１０３ｂによって支持されており、支持部１０３ｂは、保護部１０５まで延びている（図８ＢからＥを参照）。
【００４９】
第１係合部１０３の外面には、側面視において略長方形状の係合面１０３ａが、左後支柱１２ｂの長手方向に沿って縦長に延びるように設けられている（図５、図８ＡおよびＥを参照）。係合面１０３ａは、左後支柱１２ｂの折返部１２ｂ３の先端に当接している（図７を参照）。
【００５０】
（１−２−８−４）第２係合部１０４
第２係合部１０４は、係合リブ１０４ａと緩衝部１０４ｂとから構成される。
【００５１】
係合リブ１０４ａは、水平部１０１の上面に設けられた平面視略Ｕ字状のリブであり（図８Ｃを参照）、側面視扇形状のリブが間をおいて前後に２つ並ぶように設けられている（図６、図８ＥおよびＦを参照）。把手部１００は、係合リブ１０４ａと上延部１０２の内面とで、左外縁部１６１ｂを挟むようにして天板１１と係合している（図６を参照）。
【００５２】
緩衝部１０４ｂは、背面視Ｌ字状のリブであり、上延部１０２の内面において設けられ、係合リブ１０４ａの後ろ側近傍に位置している（図８Ｂ、Ｃ、ＥおよびＦを参照）。緩衝部１０４ｂは、把手部１００を使用して室外機３を持ち上げた際に、左外縁部１６１ｂと上延部１０２との間のクッションとして機能している。また、緩衝部１０４ｂは、係合リブ１０４ａと上延部１０２の内面との間から左外縁部１６１ｂが抜けることを防ぐ抜け止めとしても機能している。
【００５３】
（１−２−８−５）保護部１０５
水平部１０１の底面には、水平部１０１を握る際に室外熱交換器３０のフィンから手を保護する保護部１０５が設けられている（図６から図８ＢおよびＤ〜Ｆを参照）。保護部１０５は、指掛部１０１ａに指を掛けた時に指が室外熱交換器３０のフィンに接触しないように、水平部１０１の縁に沿って下向きに延びて指掛部１０１ａを囲んでいる（図７および図８Ｄを参照）。なお、保護部１０５は、背面側で第１係合部１０３と繋がっている。
【００５４】
（２）天板浮き上がり防止機能
以下、室外機３の天板浮き上がり防止機能について説明する。
【００５５】
室外機３を持ち上げる場合、差込部１３１と把手部１００とが用いられる。把手部１００を握って室外機３を持ち上げると、左外縁部１６１ｂに上方へ押し上げる力がかかり、天板１６を反り上がらせようとする。しかしこれと同時に、係合面１０３ａが左後支柱１２ｂの折返部１２ｂ３の先端に引っ掛かり、押し上げる力は左後支柱１２ｂに分散される。これにより、左外縁部１６１ｂへかかる力が、天板１６が反り上がらない程度に軽減される。その結果、天板１６は、浮き上がらずに所定の状態で保持される。
【００５６】
（３）特徴
（３−１）
上記実施形態では、天板１６に装着される把手部１００は、左後支柱１２ｂに係合する第１係合部１０３を有する。これにより、把手部１００を用いて室外機３を持ち上げる際に、第１係合部１０３が左後支柱１２ｂに引っ掛かり、天板１６の反り上がりを抑える。したがって、天板１６が浮き上がりにくいようにできている。
【００５７】
（３−２）
上記実施形態では、第１係合部１０３は、係合面１０３ａを有する。係合面１０３ａは、左後支柱１２ｂの長手方向に沿って延び、側面部１２ｂ２の内面に当接する。これにより、第１係合部１０３が左後支柱１２ｂへより安定して引っ掛かるため、さらに天板１６の反り上がりを抑えやすいようにできている。
【００５８】
（３−３）
上記実施形態では、上延部１０２は左外縁部１６１ｂの外面に当接し、第１係合部１０３は平面視において水平部１０１の左後支柱１２ｂ側の端部に配設されている。これにより、第１係合部１０３が左後支柱１２ｂへより安定して引っ掛かるため、さらに天板１６の反り上がりを抑えやすいようにできている。
【００５９】
（３−４）
上記実施形態では、把手部１００は、係合リブ１０４ａと上延部１０２とで左外縁部１６１ｂを挟むようにして、天板１６と係合している。これにより、第１係合部１０３が左後支柱１２ｂへより安定して引っ掛かるため、さらに天板１６の反り上がりを抑えやすいようにできている。
【００６０】
（３−５）
上記実施形態では、把手部１００は、ネジ孔ＴＨ４を介して天板１６に螺着されている。これにより、第１係合部１０３が左後支柱１２ｂへより安定して引っ掛かるため、さらに天板１６の反り上がりを抑えやすいようにできている。
【００６１】
（３−６）
上記実施形態では、左後支柱１２ｂは、室外熱交換器３０の湾曲部３０ｂの近傍に配設されている。これにより、ハウジング１０の左側面において大きな開口を形成でき、室外熱交換器３０の熱交換効率が向上するようにできている。
【００６２】
（４）変形例
（４−１）変形例１ａ
上記実施形態では、室外機３は、空気調和装置１に適用されたが、これに限定されない。例えば、給湯装置等の他の冷凍装置に適用されてもよい。
【００６３】
（４−２）変形例１ｂ
上記実施形態では、左側柱１２は、左前支柱１２ａおよび左後支柱１２ｂから構成されたが、これに限定されず、これより多くても少なくてもよく、また、その設置場所についても底板１１の隅には限定されない。
【００６４】
（４−３）変形例１ｃ
上記実施形態では、左前支柱１２ａおよび左後支柱１２ｂは、主として前面部１２ａ１と側面部１２ａ２又は背面部１２ｂ１と側面部１２ｂ２の２面で構成されたが、これに限定されない。例えば、平面視弧状に湾曲する１面で構成されてもよい。
【００６５】
（４−４）変形例１ｄ
上記実施形態では、左後支柱１２ｂには、折返部１２ｂ３が設けられたが、折返部１２ｂ３については適宜省略してもよい。
【００６６】
（４−５）変形例１ｅ
上記実施形態では、係合面１０３ａは左後支柱１２ｂの長手方向に沿って縦長に設けられたが、これに限定されない。例えば、左後支柱１２ｂの短手方向に沿って横長に設けられてもよい。
【００６７】
（４−６）変形例１ｆ
上記実施形態では、第２係合部１０４は、係合リブ１０４ａと緩衝部１０４ｂとから構成されたが、緩衝部１０４ｂについては適宜省略してもよい。
【００６８】
（４−７）変形例１ｇ
上記実施形態では、係合リブ１０４ａは、平面視略Ｕ字状に設けられたが、これに限定されず、他の形状であってもよい。
【００６９】
（４−８）変形例１ｈ
上記実施形態では、水平部１０１の底面に指掛部１０１ａおよび保護部１０５が設けられたが、これらは適宜省略してもよい。
【産業上の利用可能性】
【００７０】
本発明は、冷凍装置の室外機に利用可能である。
【符号の説明】
【００７１】
１              空気調和装置
３              室外機
１１            底板
１２ａ          左前支柱
１２ｂ          左後支柱
１２ｂ２        側面部
１２ｂ３        折返部
１６            天板
１６１ｂ        左外縁部
３０            室外熱交換器
３０ａ          短手部
３０ｂ          湾曲部
１００          把手部
１０１          水平部
１０１ａ        指掛部
１０２          上延部
１０３          第１係合部
１０３ａ        係合面
１０４          第２係合部
１０４ａ        係合リブ
１０４ｂ        緩衝部
１０５          保護部
【先行技術文献】
【特許文献】
【００７２】
【特許文献１】特開２００９−１５６５５６号公報
【図１】
2014043978.tif 000003
【図２】
2014043978.tif 000004
【図３】
2014043978.tif 000005
【図４】
2014043978.tif 000006
【図５】
2014043978.tif 000007
【図６】
2014043978.tif 000008
【図７】
2014043978.tif 000009
【図８Ａ】
2014043978.tif 000010
【図８Ｂ】
2014043978.tif 000011
【図８Ｃ】
2014043978.tif 000012
【図８Ｄ】
2014043978.tif 000013
【図８Ｅ】
2014043978.tif 000014
【図８Ｆ】
2014043978.tif 000015